(57)【要約】【課題】刈払機のメインパイプには飛散防護シートなどのアタッチメントを着脱自在に取着するが、軽量で簡単にしかも強固に固着する手段が求められていた。【解決手段】刈払機のメインパイプに斜交して、アタッチメントを着脱する一対のコ字型クランプに半円状切り欠き部を形成、これによりメインパイプを挟着した刈払機のアタッチメント取付装置。【選択図】図３
2017221115.tif 000002
【特許請求の範囲】
【請求項１】
刈払機１のメインパイプ３を挟持する上下一対の対称となるコ字型クランプ６、７に、メインパイプ３を挿通する半円状切欠部８ａ、８ｂを設けるに、半円状切欠部８ａはコ字型クランプの側片６ａ、７ａとコ字型クランプの側片６ｂ、７ｂを上下に合わせた中心点で対称形であり、この中心点をメインパイプ３の長さ方向に離間させ、メインパイプ３を挟んで上下コ字型クランプ側片の遊端部９を重ね合わせると共に、一対のコ字型クランプ天辺６ｃ，下底７ｃ間をボルト、ナット等の諦着具で諦着し、コ字型クランプ下底７ｃをメインパイプ３に斜めに交差して刈払機１のアタッチメント取付台５としたことを特徴とする刈払機のアタッチメント取付装置。
【請求項２】
コ字型クランプ下底７ｃ部を締着したナット１２、１２からボルト１１、１１の下端部を延出し、このボルト１１、１１に刈払機１の飛散防止シートなどのアタッチメントを指締め可能なナット１６、１６により着脱可能としたことを特徴とする特許請求の範囲１に示す刈払機のアタッチメント取付装置。
【請求項３】
下部コ字型クランプ７の側片７ａ、７ｂの前方一端には、この刈払機１の飛散防止シート４を垂下するための孔２２ａ、２２ｂを、コの字型クランプ下底７ｃには孔２３ａをそれぞれ穿設したことを特徴とする特許請求の範囲１に示す刈払機のアタッチメント取付装置。
【発明の詳細な説明】
【技術分野】
【０００１】
丸パイプからなる刈払機のメインパイプにアタッチメントの着脱容易な取付装置に関する。
【背景技術】
【０００２】
一般に刈払機のメインパイプである丸パイプにアタッチメントを取り付けるに、丸パイプへの回転を防止して強固に取着できると共に、軽量でしかも取着するアタッチメントの負荷に対応できる強度が必要である。
【０００３】
最近では刈払機による作業の多様化により、アタッチメントの着脱頻度が多くなり、アタッチメントの着脱の容易さが求められている。
【０００４】
従来の刈払機のメインパイプである丸パイプへのアタッチメントの取り付け装置は、例えば特許文献１の本発明者が提案した特開２０１２−２３９４１０にはカバー取付台とパイプ用サドルバンドにより前記メインパイプを挟み込むようボルト、ナットで固定されているが、飛散防止カバーを取り付けるための強度を確保するためカバー取付台とパイプ用サドルバンド部材の板厚が必要となり重量が大となっていた。
【０００５】
特許文献２には交差する棒状体６、６′の固着構造が示されているが、重合する板状の接続具２、２′が示されており、仮にこの重合する接続具に何かを取着しても強度上の課題を解消するものではない。
【先行技術文献】
【特許文献】
【０００６】
【特許文献１】特開２０１２−２３９４１０号  公報
【特許文献２】実開昭５９−４９００６号  公報
【発明の概要】
【発明が解決しようとする課題】
【０００７】
本発明は、これらの不都合を解消すべくなされたものである。刈払機のメインパイプである丸パイプにアタッチメント取付台を強固に取付られると共に、部品の重量を軽減し、更にアタッチメントの着脱容易な取り付け装置が求められている。
【課題を解決するための手段】
【０００８】
上記課題を解決するために請求項１に係るこの発明は、刈払機のメインパイプを挟持する上下一対の対称となるコ字型クランプに、メインパイプを挿通する半円状切欠部を設けるに、半円状切欠部は上部コ字型クランプの側片と下部コ字型クランプの側片を上下に合わせた時に出来る中心点で対称となり、この中心をメインパイプの長さ方向に離間させてメインパイプを挟んで上下コ字型クランプ側片の遊端部を互いに重ね合わせると共に、一対のコ字型クランプ天辺、下底間をボルト・ナット等の諦着具で諦着し、コ字型クランプ下底をメインパイプに斜めに交差させて刈払機のアタッチメント取付台としたことを特徴とする刈払機のアタッチメント取付装置である。
【０００９】
請求項２の発明は、丸パイプは刈払機のメインパイプであって、下面コ字型クランプ下底部からボルトの下端部を延出、このボルトに刈払機のアタッチメントを指締め可能なナットにより着脱出来るように構成した特許請求の範囲１に示す刈払機のアタッチメント取付装置である。
【００１０】
請求項３の発明は、アタッチメント取付台となる下コ字型クランプの両側片を貫通する取付孔と、下コ字型クランプ下底にこの刈払機の飛散防止シートを付着する取付孔を穿設したことを特長とする特許請求の範囲１に示す刈払機のアタッチメント取付装置である。
【発明の効果】
【００１１】
本発明は丸パイプに上下一対のコ字型クランプの遊端部を重合させ、丸パイプを囲むコの字型クランプの半円状切り欠き接触部で上下に締め付けることが出来るので、丸パイプと半円状切り欠き接触部の長さ方向への移動をなくし、丸パイプの円周方向への回動を防止して取付台を極めて強固に固着することが出来る。
【００１２】
上下一対の断面コ字型クランプのクランプ側片にそれぞれ設けた半円状切り欠き部でメインパイプを挟持すると共に、コ字型クランプの側片の遊端部を上下に重合させて取付台を形成し、ボルト・ナット等の締着具でコ字型クランプの天辺と下底を締めつけ固定したので、メインパイプに対する半円状切り欠き部とパイプとの接触点が多く極めて強固に取り付けることが出来る。丸パイプの外径より大きい半円状切り欠き部が丸パイプと接触する時、接触部は締着具による締め付けで順次クサビ状の位置は変る、両脇のボルトの出を等しくすると、締め付け力が十分に働く。
【００１３】
丸パイプを挟んで一対のコ字型クランプのクランプ遊端部を重合させることにより四角形の箱形を形成し、この四角形の上下２辺をボルト、ナット等の締着具で締め付け固定したので、従来の２枚の板厚のみによる取付台に比べて軽量化を図りながら強度を格段に
向上することが出来た。
【００１４】
刈払機のアタッチメント取付台を軽量化することにより、従来は不使用時に取付台を含むアタッチメントの取り外しをしていたので着脱に手数を要していたが、本発明ではアタッチメントの取付台を軽量化したことにより、取付台を刈払機に固着したままアタッチメントのみの着脱が出来るので着脱が容易になり作業能率の向上を図ることが出来た。
【００１５】
刈払機のメインパイプを挟持する上下一対の対称となるコ字型クランプに半円状切欠部を設けるが、このメインパイプの長さ方向に離間する半円状切り欠き部の離間距離により、メインパイプに斜めに交差するアタッチメント取付台の角度を自在に設定することが出来る。
【００１６】
更に、アタッチメントによっては飛散防止シートなどの可撓性のある装置は着脱することなく、不使用時には刈払機のメインパイプに巻き付けて使用することが出来るので、交換の手間もなく一層の作業能率の向上が図れるものである。
【図面の簡単な説明】
【００１７】
【図１】刈払機のアタッチメント取付状態を示す側面斜視図
【図２】刈払機のアタッチメントを外しての使用状態を示す側面斜視図
【図３】上下コの字型クランプの説明斜視図
【図４】丸パイプへの取付台組立説明図で正面図、上面図、側面図
【図５】アタッチメントの取り付け説明図で正面図、側面図、上面図
【図６】（Ａ）アタッチメントの簡易取付状体説明図       （Ｂ）は図６（Ａ）のＡ矢視図
【図７】アタッチメントの不使用時の収納状態説明図
【図８】従来技術の斜視図
【発明を実施するための形態】
【００１８】
以下、本発明の実施の形態を図１〜図７に基づいて説明する。
【００１９】
図１は刈払機のアタッチメントとしての飛散防止シートの取付状態を示す側面斜視図、図２はアタッチメントを取り外し、アタッチメント取付台のみがメインパイプに取付けられた時の状態を示している。
【００２０】
図１は刈払機１のメインパイプ３先端部に刈刃２を設けると共に、その後方にアタッチメントである飛散防止シート４を取り付けたアタッチメント取付台５をメインパイプ３に斜めに交差して固着している。
【００２１】
図２はアタッチメント取付台５をメインパイプ３に固着した構成で、上下に対向する一対の上部コ字型クランプ６、下部コ字型クランプ７によって構成されるもので、飛散防止シート４などを使用しない場合でもアタッチメント取付台５はそのままメインパイプ３に固着している。
【００２２】
図３に基づきアタッチメント取付台５をメインパイプ３に取り付ける詳細を説明する。丸パイプからなる刈払機１のメインパイプ３に上下一対の対称となるコ字型クランプ６、７を設ける。上部コの字型クランプ６のコ字型クランプ側片６ａにはメインパイプ３を挟着するための半円状切り欠き部８ａを設け、コ字型クランプ側片６ｂには上記半円状切り欠き部８ａに対して、コ字型クランプ６の長さ方向に一定距離を離間させて半円状切り欠き部８ｂを設けると共に、コ字型クランプ天辺６ｃには上部コ字型クランプ６長さ方向の両端に、後述するボルト１１、１１を挿通するためのボルト孔１０、１０をそれぞれ穿設する。
【００２３】
次に下部コ字型クランプ７にも上部コ字型クランプ６と同様に、コ字型クランプ側片７ａにはメインパイプ３を挟着するための半円状切り欠き部８ａを設け、コ字型クランプ側片７ｂには上記半円状切り欠き部８ａに対して、コ字型クランプ７長さ方向に一定距離を離間させて半円状切り欠き部８ｂを設けると共に、コ字型クランプ下底７ｃには下部コ字型クランプ７長さ方向の両端に、後述するボルト１１、１１を挿通するためのボルト孔１０、１０を穿設する。
【００２４】
メインパイプ３を挟んで上下コ字型クランプ側片の遊端部９を互いに重ね合わせると共に、コ字型クランプ天辺６ｃ，下底７ｃの両端にそれぞれを穿設したボルト孔１０、１０にボルト１１、１１を挿通しナット１２、１２等の諦着具で諦着することにより、下部コの字型クランプ７の下底７ｃをアタッチメント取付台５として刈払機の飛散防止シート４の取付板１４を挟持して取着するものである。
【００２５】
図４の正面図に示すように、上下それぞれのコ字型クランプ側片６ａ、６ｂ、７ａ、７ｂにはメインパイプ３を挿通する半円状切欠部８ａ、８ｂを設けるが、上部コ字型クランプ６の側片６ａと下部コ字型クランプ７の側片７ａ、上部コ字型クランプ６の側片６ｂと下部コ字型クランプ７の側片７ｂを上下に合わせた中心点で対称形であり、この中心点をメインパイプ３の長さ方向に離間させているが、この離間の長さを変えることにより、アタッチメント取付台５とメインパイプ３との交差する角度を設定することが出来る。
【００２６】
図４の正面図、側面図に示すようにメインパイプ３を挟んで上下コ字型クランプ側片の遊端部９を互いに重ね合わせると共に、上下一対のコ字型部クランプ６，７を上下に貫通するボルト１１、１１の下部をナット１２、１２により締着することにより丸パイプを挟持して、コ字型クランプは四辺形の角パイプ状に強固なアタッチメント取付台５となる。
【００２７】
ボルト１１、１１の下部はナット１２、１２の下方に更に延伸して、このナット１２、
１２を介して刈払機１の飛散防止シート取付板１４を指締め可能な蝶ナット１６、１６などにより締着取着したものである。下部コ字型クランプ下底７ｃより延伸してナット１２、１２を介して刈払機１の飛散防止シート取付板１４を取着するが、この時下部コ字型クランプを締着するナット１２、１２の下方にシート取付板１４の板厚より僅かに広い隙間１４ａを設けて蝶ナット１６、１６を設けている。この蝶ナット１６、１６はボルト１１、１１の端部から離脱しないようボルト１１、１１の下端部にはロックナット１７、１７が付設されている。
【００２８】
上下コの字型クランプの製作時、プレスを用いて製作する方法と、既成の矩形角パイプを用いて、矩形の角パイプ側面にパイプ径に対応する円形孔を角パイプの長さ方向に離間して穿設し、その後にパイプ孔の中央で分離切断することにより上下コの字型クランプ６、７を製作することが出来る。
【００２９】
図５は刈払機１のアタッチメント着脱時の操作の容易化を図った構造であって、底面図に示すように、飛散防止シート４のシートの取付板１４にはボルト１１、１１に対応してシート取付板１４の短辺方向に外斜め方向に孔径巾の開放端を有する案内切り欠き１５ａ、ボルト１１にはシートの取付板１４の長辺外方向の孔径巾の開放端を有する案内切り欠き１５ｂを設ける。このシートの取付板１４には回動可能に飛散防止シートアングル４ａが連接されている。
【００３０】
図５の側面図には上下一対のコ字型クランプ６，７のコ字型クランプ天辺６ｃとコ字型クランプ下底７ｃを上下に貫通してロックピン１８を挿通するロックピン孔１３ａをボルト孔１０の外側に穿設する。ロックピン１８は上下に移動可能とし、ロックピン１８の上方にはロックピンつまみ１９を設け、ロックピン１８の下端はコ字型クランプ下底７ｃを貫通して、更にシート取付板１４を貫通し飛散防止シート４の脱落を阻止している。
【００３１】
このロックピン１８はコ字型クランプ下底７ｃ部内方底部とコ字型クランプ天辺６ｃの天井部との間にバネ２１を介して常時コ字型クランプ下底７ｃ底部に当設し飛散防止シート４の移動落下を阻止するよう構成されている。
【００３２】
図６（Ａ）（Ｂ）はアタッチメントの簡易取付状体を説明するもので、下部コ字型クランプ側片７ａ、７ｂにはこれらを貫通するキーリング孔２２ａ、２２ａを穿設する。キーリング孔２２ａの他方には、ベーターピン孔２３ａを穿設する。一方飛散防止シートアングル４ａにはキーリング孔２２ａに対応してキーリング孔２２ｂ、ベーターピン孔２３ａに対応する位置にはベーターピン孔２３ｂを穿設する。下部コ字型クランプ側片７ａ、７ｂを貫通するキーリング孔２２ａ、２２ａと飛散防止シートアングル４ａのキーリング孔２２ｂ間をキーリング２２で連結し、他方ベーターピン孔２３a、２３ｂ間をベーターピン２３で連接することにより飛散防止シート４をアタッチメント取付台５より垂下する。下部コ字型クランプ側片７ａ、７ｂのキーリング孔２２ａ、２２ａと飛散防止シートアングル４ａのキーリング孔２２ｂ間をキーリング２２で接続したことにより飛散防止シート４の三次元回動が可能になった。
【００３３】
図７は図６で示した簡易取付状体からの不使用時の飛散防止シート４の収納状態を説明するものである。上記ベーターピン２３には固定紐２４が付設され、固定紐の他端は飛散防止シート４に付設されている。
【００３４】
上記構成による刈払機のアタッチメント着脱について説明する。刈払機のアタッチメントとしては刈刃の回転による小石などの飛散を防止する飛散防止シート、刈り取った草を集草する集草装置、刈刃への巻付きを防止する巻き付き防止装置、エンジン始動時に、刈刃を地面から離間させる支持脚等を想定しているが、本実施例では、刈草の集草や刈り刃
の回転による小石などの飛散を防止する飛散防止シートにより説明する。
【００３５】
刈払機の刈刃２後方の飛散防止シート４取着位置に、メインパイプ３に対して上下のコ字型部クランプ６，７のコの字型クランプ側片６ａ、６ｂ、７ａ、７ｂに設けた半円状切り欠部８ａ、８ｂの上下からメインパイプ３を挟んでクランプ遊端部９が重合するまで抱き合わせる。上部コ字型クランプ６の天辺６ｃに穿設されたボルト孔１０、１０上方よりボルト１１、１１を挿通し、下部コ字型クランプ７の下底７ｃより突出する部分をナット１２、１２により上下のコ字型クランプ６，７を締め付け固定する。下部コの字型クランプの下底７ｃをナット１２、１２を介してアタッチメント取付台５として使用するが、使用の有無に関係なくこのアタッチメント取付台５は常時メインパイプ３に締着されている。
【００３６】
校庭や道路などでの草刈り作業時には飛散防止シートの取付を必要とする。第６図によりアタッチメント取付台５にアタッチメントとしての飛散防護シート４の取付について
説明する。
【００３７】
アタッチメント取付台５となるコ字型クランプ下底７ｃからナット１２，１２を介して突出するボルト１１、１１と蝶ナット１６、１６のシート取付板取付間隙部１４ａにシート取付板１４の案内切り欠き１５ａの開放端を挿入、更に案内切り欠き１５ｂの開放端を挿入した後、ロックピンつまみ１９を引き上げて下部コ字型クランプ下底７ｃよりロックピン孔１３ｂを貫通突出した後、シート取付板１４を蝶ナット１６、１６により手で締め付けることによりシート取付板１４を挟み込み飛散防止シート４を取着する。
【００３８】
畦草刈りや、草丈の長い草刈り時には飛散防止シート４を必要としないので飛散防止シート４を取り外して作業する。この時はアタッチメント取付台５はメインパイプ３に取りつけたままにする。
【００３９】
飛散防止シート４をアタッチメント取付台５から取り外すには、ロックピンのつまみ１９を把持して上方に引き上げ、ロックピン１８の先端部をバネ２１に抗してコの字型クランプ下底７ｃ部内方に引きあげる。次にアタッチメント取付台５下方のシート取付板１４を締めつけている２個の蝶ナット１６、１６を手で緩めて、ボルト１１からシート取付板１４の案内切り欠き１５ａより抜き出し、他方の案内切り欠き１５ｂも同様にしてボルト１１から抜き出すことでシート取付板１４を取外すことにより、飛散防止シート４をアタッチメント取付台５より取り外すことが出来る。
【００４０】
図６に示す他の実施例は、飛散防止シート４を必要に応じてアタッチメント取付台５から垂下しての飛散防止シートを機能させる使用状態について説明する。
【００４１】
飛散防止シート４をアタッチメント取付台５から垂下して使用するには、メインパイプ３に巻き付けた飛散防止シート４の固定紐２４を解除し、アタッチメント取付台５から垂下し、既にキーリング２２で連結されている側と反対側のアタッチメント取付台５のコ字型クランプ下底７ｃに穿設したベーターピン孔２３ａと、飛散防止シートアングル４ａに設けたベーターピン孔２３ｂをベーターピン２３で連結する。連結されているキーリング２２は下部コ字型クランプ側片７ａ、７ｂを貫通するキーリング孔２２ａと飛散防止シートアングル４ａのキーリング孔２２ｂの3箇所の孔により保持されているので、垂下しての作用時に飛散防止シート４の作用位置を確保しながら、後述の不使用時の巻き付け方向への対応をも可能にしている。
【００４２】
飛散防止シート４を必要としない時には、ベーターピン２３をアタッチメント取付台５から引き抜き、飛散防止シート４をアタッチメント取付台５を含んでメインパイプ３に巻
き付け、更にベーターピン２３に一端を結び付けた固定紐２４を飛散防止シート４外方に巻き付け固定する。このことにより飛散防止シート４を刈払機に常時所持して、必要時には即使用できるので安全性を更に向上したものである。
【産業上の利用可能性】
【００４３】
以上のように、本発明の刈払機のアタッチメント着脱装置はアタッチメント取付台を軽量化すると共に強度アップを図ることによりアタッチメントの着脱を極めて容易に行える安全で効率の良い刈払機として利用範囲を拡大することが出来る。
【符号の説明】
【００４４】
１            刈払機
２            刈刃
３            メインパイプ
４            飛散防止シート
４ａ          飛散防止シートアングル
５            アタッチメント取付台
６            上部コ字型クランプ
６ａ          コ字型クランプ側片
６ｂ          コ字型クランプ側片
６ｃ          コ字型クランプ天辺
７            下部コ字型クランプ
７ａ          コ字型クランプ側片
７ｂ          コ字型クランプ側片
７ｃ          コ字型クランプ下底
８ａ          半円状切り欠き部
８ｂ          半円状切り欠き部
９            クランプ側片遊端部
１０、１０      ボルト孔
１１、１１      ボルト
１２、１２      ナット
１３ａ          ロックピン孔
１３ｂ          ロックピン孔
１４            シート取付板
１４ａ          シート取付間隙
１５ａ          案内切り欠き
１５ｂ          案内切り欠き
１６、１６      蝶ナット
１７、１７      ロックナット
１８            ロックピン
１９            ロックピンつまみ
２０            ピン孔
２１            バネ
２２            キ―リング
２２ａ、２２ａ  キーリング孔
２２ｂ          キーリング孔
２３            ベーターピン
２３ａ          ベーターピン孔
２３ｂ          ベーターピン孔
２４            固定紐
２５            安全カバー
【図１】
2017221115.tif 000003
【図２】
2017221115.tif 000004
【図３】
2017221115.tif 000005
【図４】
2017221115.tif 000006
【図５】
2017221115.tif 000007
【図６】
2017221115.tif 000008
【図７】
2017221115.tif 000009
【図８】
2017221115.tif 000010